(57)【要約】【課題】廃棄時の減容化を促進してゴミ容量を削減できる紙箱を提供することを目的とする。【解決手段】軸方向の両端に開口面１０ａ、１０ｂを有する筒状の胴部１０と、一方の開口面１０ａを閉じる第１蓋部２１と、他方の開口面１０ｂを閉じる第２蓋部２２とを備え、内容物Ｓを収納する紙箱１において、胴部１０が周面に開口する窓部１１ｂと、軸方向に延びて対向する一対の第１折罫５１と、第１折罫５１と異なる位置で軸方向に延びて対向する一対の第２折罫５２とを有するとともに、文字列または絵を含む異なる図柄の第１内面図柄部１０ｃと第２内面図柄部１０ｄとを胴部１０の内面に設け、第１蓋部２１及び第２蓋部２２を開いた際に、胴部１０を第１折罫５１で折り曲げて扁平に押し潰すと第１内面図柄部１０ｃが窓部１１ｂに対向するとともに、第２折罫５２で折り曲げて扁平に押し潰すと第２内面図柄部１０ｄが窓部１１ｂに対向する。【選択図】図７
2015040062.tif 000002
【特許請求の範囲】
【請求項１】
軸方向の両端に開口面を有する筒状の胴部と、一方の前記開口面を閉じる第１蓋部と、他方の前記開口面を閉じる第２蓋部とを備え、内容物を収納する紙箱において、
前記胴部が周面に開口する窓部と、軸方向に延びて対向する一対の第１折罫と、第１折罫と異なる位置で軸方向に延びて対向する一対の第２折罫とを有するとともに、
文字列または絵を含む異なる図柄の第１内面図柄部と第２内面図柄部とを前記胴部の内面に設け、
第１蓋部及び第２蓋部を開いた際に、前記胴部を第１折罫で折り曲げて扁平に押し潰すと第１内面図柄部が前記窓部に対向するとともに、第２折罫で折り曲げて扁平に押し潰すと第２内面図柄部が前記窓部に対向することを特徴とする紙箱。
【請求項２】
前記胴部の外面の前記窓部周囲に文字列または絵を含む図柄の外面図柄部を設け、第１内面図柄部及び第２内面図柄部が前記外面図柄部により表される図柄の一部を形成することを特徴とする請求項１に記載の紙箱。
【請求項３】
前記胴部の内面の第１内面図柄部と第２内面図柄部との間を無地にしたことを特徴とする請求項１または請求項２に記載の紙箱。
【請求項４】
前記胴部が第１折罫及び第２折罫と異なる位置で軸方向に延びて対向する一対の第３折罫を有するとともに、第１内面図柄部及び第２内面図柄部と異なる図柄の第３内面図柄部を前記胴部の内面に設け、前記胴部を第３折罫で折り曲げて扁平に押し潰すと第３内面図柄部が前記窓部に近接して対向することを特徴とする請求項１〜請求項３のいずれかに記載の紙箱。
【請求項５】
前記胴部の周面に設けた環状のミシン目を有し、前記窓部が前記ミシン目に沿って前記胴部を切り取って形成される孔から成ることを特徴とする請求項１〜請求項４のいずれかに記載の紙箱。
【請求項６】
前記胴部の周面に第１蓋部または第２蓋部に連続したミシン目を有し、第１蓋部または第２蓋部を開いた際に前記窓部が前記ミシン目に沿って前記胴部を切り取って形成される切欠きから成ることを特徴とする請求項１〜請求項４のいずれかに記載の紙箱。
【請求項７】
前記胴部が対向する正面板及び背面板を両側方の右側面板及び左側面板により連結して軸方向に垂直な断面が矩形に形成され、第１折罫が前記正面板と前記右側面板との間及び前記背面板と前記左側面板との間に設けられるとともに、第２折罫が前記正面板と前記左側面板との間及び前記背面板と前記右側面板との間に設けられることを特徴とする請求項１〜請求項６のいずれかに記載の紙箱。
【発明の詳細な説明】
【技術分野】
【０００１】
本発明は、内容物を収納する紙箱に関する。
【背景技術】
【０００２】
従来の紙箱は特許文献１に開示されている。この紙箱は直方体形状を有し、筒状の胴部、第１蓋部及び第２蓋部を備えて内容物を収納する。胴部は対向する正面板及び背面板を両側方の右側面板及び左側面板により連結して形成される。また、胴部の軸方向の上端及び下端にはそれぞれ上部開口面及び下部開口面が形成される。第１蓋部は上部開口面を閉じるとともに、第２蓋部は下部開口面を閉じる。
【０００３】
第１蓋部は後端に設けた折罫によって背面板に対して折曲可能に形成される。第１蓋部の前端には正面板の上部に形成される半月状の舌状部分が折罫を介して連設される。舌状部分を除く第１蓋部の前端は第１ミシン目を介して正面板の上端に連結され、舌状部分は第１ミシン目に連続する第２ミシン目によって正面板に連結される。
【０００４】
上記構成の紙箱において、使用者が親指等で舌状部分を紙箱の内側に向かって押圧すると、舌状部分が第２ミシン目で破断して正面板から分離する。そして、舌状部分と第１蓋部とを摘持して上方に向けて引っ張ると第１ミシン目が破断して第１蓋部が開き、上部開口面が開放される。これにより、使用者は上部開口面を介して紙箱から内容物を取り出すことができる。また、内容物が取り出された紙箱は折り畳んで減容して廃棄される。
【先行技術文献】
【特許文献】
【０００５】
【特許文献１】特許第３４０４４５７号公報（第３頁、第４頁、第８頁、第１図、第２図）
【発明の概要】
【発明が解決しようとする課題】
【０００６】
しかしながら、上記従来の紙箱によると、内容物を取り出した後に折り畳まれずに廃棄される頻度が高く、ゴミ容量が大きくなる問題があった。
【０００７】
本発明は廃棄時の減容化を促進してゴミ容量を削減できる紙箱を提供することを目的とする。
【課題を解決するための手段】
【０００８】
上記目的を達成するために本発明は、軸方向の両端に開口面を有する筒状の胴部と、一方の前記開口面を閉じる第１蓋部と、他方の前記開口面を閉じる第２蓋部とを備え、内容物を収納する紙箱において、前記胴部が周面に開口する窓部と、軸方向に延びて対向する一対の第１折罫と、第１折罫と異なる位置で軸方向に延びて対向する一対の第２折罫とを有するとともに、文字列または絵を含む異なる図柄の第１内面図柄部と第２内面図柄部とを前記胴部の内面に設け、第１蓋部及び第２蓋部を開いた際に、前記胴部を第１折罫で折り曲げて扁平に押し潰すと第１内面図柄部が前記窓部に対向するとともに、第２折罫で折り曲げて扁平に押し潰すと第２内面図柄部が前記窓部に対向することを特徴としている。
【０００９】
この構成によると、筒状の胴部内に内容物を入れて軸方向の両端の開口面を第１蓋部及び第２蓋部で閉じると内容物が紙箱に収納される。そして、第１蓋部を開いて内容物を取り出した後に、第２蓋部を開いて胴部を第１折罫で折り曲げて扁平に押し潰すと第１内面図柄部が窓部に対向する。これにより、使用者は窓部を介して第１内面図柄部を視認することができる。また、第１蓋部及び第２蓋部を開いた際に、胴部を第２折罫で折り曲げて扁平に押し潰すと第２内面図柄部が窓部に対向する。これにより、使用者は窓部を介して第２内面図柄部を視認することができる。
【００１０】
また本発明は、上記構成の紙箱において、前記胴部の外面の前記窓部の周囲に文字列または絵を含む図柄の外面図柄部を設け、第１内面図柄部及び第２内面図柄部が前記外面図柄部により表される図柄の一部を形成すると好ましい。
【００１１】
この構成によると、第１内面図柄部が窓部に対向すると、第１内面図柄部と外面図柄部とが関連付けられて一の外観や観念を形成する図柄が完成する。また、第２内面図柄部が窓部に対向すると、第２内面図柄部と外面図柄部とが関連付けられて一の外観や観念を形成する図柄が完成する。
【００１２】
また本発明は、上記構成の紙箱において、前記胴部の内面の第１内面図柄部と第２内面図柄部との間を無地にすると好ましい。
【００１３】
この構成によると、第１蓋部及び第２蓋部を開いた際に、胴部を第１折罫及び第２折罫で折り曲げずに扁平に押し潰していない場合には、窓部は無地に対向する。
【００１４】
また本発明は、上記構成の紙箱において、前記胴部が第１折罫及び第２折罫と異なる位置で軸方向に延びて対向する一対の第３折罫を有するとともに、第１内面図柄部及び第２内面図柄部とは異なる図柄の第３内面図柄部を前記胴部の内面に設け、前記胴部を第３折罫で折り曲げて扁平に押し潰すと第３内面図柄部が前記窓部に近接して対向すると好ましい。
【００１５】
また本発明は、上記構成の紙箱において、前記胴部の周面に設けた環状のミシン目を有し、前記窓部が前記ミシン目に沿って前記胴部を切り取って形成される孔から成ると好ましい。
【００１６】
また本発明は、上記構成の紙箱において、前記胴部の周面に第１蓋部または第２蓋部に連続したミシン目を有し、第１蓋部または第２蓋部を開いた際に前記窓部が前記ミシン目に沿って前記胴部を切り取って形成される切欠きから成ると好ましい。
【００１７】
また本発明は、上記構成の紙箱において、前記胴部が対向する正面板及び背面板を両側方の右側面板及び左側面板により連結して軸方向に垂直な断面が矩形に形成され、第１折罫が前記正面板と前記右側面板との間及び前記背面板と前記左側面板との間に設けられるとともに、第２折罫が前記正面板と前記左側面板との間及び前記背面板と前記右側面板との間に設けられると好ましい。
【発明の効果】
【００１８】
本発明によると、第１蓋部及び第２蓋部を開いた際に、胴部を第１折罫で折り曲げて扁平に押し潰すと第１内面図柄部が窓部に対向するとともに、胴部を第２折罫で折り曲げて扁平に押し潰すと第２内面図柄部が窓部に対向する。これにより、紙箱を扁平に押し潰すと使用者に対して視覚的な変化を与えて、使用者の好奇心を刺激し、紙箱を扁平に押し潰す意欲を高めることができる。したがって、紙箱の減容化を促進してゴミ容量を削減することができる。
【図面の簡単な説明】
【００１９】
【図１】本発明の第１実施形態の紙箱の開封前の状態を示す正面斜視図
【図２】本発明の第１実施形態の紙箱の開封前の状態を示す背面斜視図
【図３】本発明の第１実施形態の紙箱の展開図
【図４】本発明の第１実施形態の紙箱の第１蓋部を開いて開封した状態を示す背面斜視図
【図５】本発明の第１実施形態の紙箱の第１蓋部及び第２蓋部を開いた状態を示す背面斜視図
【図６】本発明の第１実施形態の紙箱の第１蓋部及び第２蓋部を開いた状態を示す正面図
【図７】本発明の第１実施形態の紙箱の第１蓋部及び第２蓋部を開いて胴部を第１折罫で折り曲げて扁平に押し潰した状態を示す正面図
【図８】本発明の第１実施形態の紙箱の第１蓋部及び第２蓋部を開いて胴部を第２折罫で折り曲げて扁平に押し潰した状態を示す正面図
【図９】本発明の第２実施形態の紙箱の開封前の状態を示す正面斜視図
【図１０】本発明の第２実施形態の紙箱の第１蓋部及び第２蓋部を開いて胴部を第１折罫で折り曲げて扁平に押し潰した状態を示す正面図
【図１１】本発明の第２実施形態の紙箱の第１蓋部及び第２蓋部を開いて胴部を第２折罫で折り曲げて扁平に押し潰した状態を示す正面図
【図１２】本発明の第２実施形態の紙箱の第１蓋部及び第２蓋部を開いて胴部を第３折罫で折り曲げて扁平に押し潰した状態を示す正面図
【発明を実施するための形態】
【００２０】
＜第１実施形態＞
以下に本発明の実施形態を図面を参照して説明する。図１及び図２は第１実施形態の紙箱のそれぞれ正面斜視図及び背面斜視図を示している。なお、図１及び図２は開封前の紙箱１を示している。紙箱１は直方体形状を有し、筒状の胴部１０、第１蓋部２１及び第２蓋部２２を備えて内容物Ｓ（図４参照）を収納している。胴部１０は軸方向の上端及び下端にそれぞれ上部開口面１０ａ（図４、図５参照）及び下部開口面１０ｂ（図５参照）を有する。第１蓋部２１は上部開口面１０ａを閉じるとともに、第２蓋部２２は下部開口面１０ｂを閉じる。
【００２１】
胴部１０は対向する正面板１１及び背面板１２を両側方の右側面板１３及び左側面板１４により連結して形成される。これにより、胴部１０は軸方向に垂直な断面が矩形に形成される。
【００２２】
正面板１１と右側面板１３との間及び背面板１２と左側面板１４との間には、胴部１０の軸方向に延びる第１折罫５１が設けられる。これにより、一対の第１折罫５１は胴部１０の中心軸を挟んで互いに対向する。また、正面板１１と左側面板１４との間及び背面板１２と右側面板１３との間には、胴部１０の軸方向に延びる第２折罫５２が設けられる。これにより、一対の第２折罫５２は胴部１０の中心軸を挟んで互いに対向する。
【００２３】
正面板１１の下部には環状のミシン目１１ｃが設けられる。ミシン目１１ｃに沿って正面板１１を切り取ることによって孔から成る窓部１１ｂ（図６参照）が形成される。窓部１１ｂが形成される領域１１ｄの周囲には、動物（クマ）の一部の絵から成る外面図柄部１１ａが設けられる。
【００２４】
右側面板１３及び左側面板１４の外面にはそれぞれ外面図柄部１３ａ、１４ａが設けられる。外面図柄部１３ａは吹き出し部分１３１ａと「ぼく、クマだよん」の文字列１３２ａとから成る。外面図柄部１４ａは吹き出し部分１４１ａと「おかし、おいしいよ！」の文字列１４２ａとから成る。
【００２５】
外面図柄部１１ａ、１３ａ、１４ａは例えばグラビア印刷法により形成される。本実施形態において、外面図柄部１１ａは鼻の絵１０１ｃ、１０１ｄ（図３参照）及び口の絵１０２ｃ、１０２ｄ（図３参照）が描画されていないクマの顔面の絵から成っているが、これに限定されない。例えば、文字列や乗り物の絵等により外面図柄部１１ａを形成してもよい。また、外面図柄部１３ａ、１４ａを動物や乗り物等の絵により形成してもよい。
【００２６】
図３は紙箱１の展開図を示している。なお、図３では組立後の紙箱１の内面になる部分を表にして展開している。紙箱１を形成するブランクシート１ａは紙製のシートを打ち抜いて形成される。ブランクシート１ａの材質に特に限定はないが、例えばマニラボール、ボール紙、カード紙、クラフトボール等の板紙を用いることができる。
【００２７】
第１蓋部２１は正面板１１の上端に連設される上部フラップ１１１及び背面板１２の上部に設けられる上部開封片１２ａにより形成される。上部フラップ１１１は上部開口面１０ａを覆う天面部１１１ａと背面板１２を覆う背面部１１１ｂとを有している。背面部１１１ｂの下端の中央には上方に向かって凹む湾曲部１１１ｃが設けられる。
【００２８】
上部開封片１２ａは破り取り部１２ｂと上面部１２ｃとから成る。破り取り部１２ｂ及び上面部１２ｃは折罫１２ｇを介して連設されている。破り取り部１２ｂはミシン目１２ｄで区画され、背面板１２の一部を形成している。また、破り取り部１２ｂは後述の押圧領域１２ｅを除いて第１蓋部２１の背面部１１１ｂに覆われている。ミシン目１２ｄに沿って切り取ることにより破り取り部１２ｂは背面板１２から分離する。
【００２９】
押圧領域１２ｅは破り取り部１２ｂの下端部に形成され、第１蓋部２１の背面部１１１ｂに覆われておらず露出している。押圧領域１２ｅの上部には折罫１２ｆが設けられている。
【００３０】
破り取り部１２ｂの外面は接着剤等を介して背面部１１１ｂの内面に接着している。また、上面部１２ｃの外面は接着剤等を介して天面部１１１ａの内面に接着している。これにより、上部フラップ１１１を開けると上部開封片１２ａは背面板１２から分離する。
【００３１】
第２蓋部２２は下部フラップ１１２と下部開封片１２１とから成る。下部フラップ１１２は正面板１１の下端に連設されている。下部開封片１２１の後端には背面板１２の下部に形成される半月状の舌状部分１２１ｂが折罫１２１ｃを介して連設される。舌状部分１２１ｂを除く下部開封片１２１の後端はミシン目２２ａを介して背面板１２の下端に連結され、舌状部分１２１ｂはミシン２２ａに連続するミシン目１２１ａによって背面板１２に連結される。下部開封片１２１は接着剤を介して下部フラップ１１２に接着される。これにより、第２蓋部２２は下部開口面１０ｂを閉じる。
【００３２】
舌状部分１２１ｂを紙箱１の内側へ押圧することにより、舌状部分１２１ｂはミシン目１２１ａに沿って切り取られて背面板１２から分離する。
【００３３】
正面板１１には折罫５１及び折罫５２を介してそれぞれ右側面板１３及び左側面板１４が連設される。正面板１１の上端及び下端にはそれぞれ天面部１１１ａ及び下部フラップ１１２が連設される。天面部１１１ａの上端には背面部１１１ｂが連設される。
【００３４】
左側面板１４及び右側面板１３の上端にはそれぞれ左上方フラップ１４ｂ及び右上方フラップ１３ｂが連設される。また、左側面板１４及び右側面板１３の下端にはそれぞれ左下方フラップ１４ｃ及び右下方フラップ１３ｃが連設される。
【００３５】
左側面板１４には折罫５１を介して背面板１２が連設される。背面板１２の上端、右端及び下端にはそれぞれ上面部１２ｃ、糊代フラップ１２５及び下部開封片１２１が連設される。
【００３６】
背面板１２の内面には、第１内面図柄部１０ｃ及び第２内面図柄部１０ｄが形成されている。第１内面図柄部１０ｃ及び第２内面図柄部１０ｄは後述のように紙箱１の胴部１０を扁平に押し潰した際に窓部１１ｂに対向する領域に形成されている。すなわち、扁平に押し潰す前の胴部１０において、第１内面図柄部１０ｃ及び第２内面図柄部１０ｄは窓部１１ｂに対向していない。
【００３７】
本実施形態において、第１内面図柄部１０ｃ及び第２内面図柄部１０ｄは、外面図柄部１１ａの動物（クマ）の鼻の絵１０１ｃ、１０１ｄと口の絵１０２ｃ、１０２ｄとから成る。口の絵１０２ｄは背面板１２と左側面板１４とに跨って描画されている。なお、第１内面図柄部１０ｃ及び第２内面図柄部１０ｄは文字列（例えば、運勢占い等）であってもよい。
【００３８】
第１内面図柄部１０ｃ及び第２内面図柄部１０ｄは例えばインクジェット法により黒色インクで描画される。なお、第１内面図柄部１０ｃ及び第２内面図柄部１０ｄをグラビア印刷やオフセット印刷により形成してもよい。
【００３９】
背面板１２の内面において、第１内面図柄部１０ｃ及び第２内面図柄部１０ｄ以外の領域は灰色の無地になっている。すなわち、組立後の紙箱１において窓部１１ｂに対向する領域（第１内面図柄部１０ｃと第２内面図柄部１０ｄとの間の領域）は灰色の無地になっている。
【００４０】
なお、背面板１２の内面において、第１内面図柄部１０ｃ及び第２内面図柄部１０ｄ以外の領域に例えば花模様や市松模様などの図柄を設けてよい。
【００４１】
次に、紙箱１の組み立て方法について説明する。図３のブランクシート１ａにおいて、右側面板１３及び左側面板１４をそれぞれ折罫５１及び折罫５２で正面板１１の内面側に向けて略９０度折り曲げる。この時、右下方フラップ１３ｃ及び左下方フラップ１４ｃをそれぞれ右側面板１３及び左側面板１４の内面側に向けて略９０度折り曲げる。
【００４２】
そして、背面板１２を折罫５１で左側面板１４の内面側に向けて略９０度折り曲げるとともに、糊代フラップ１２５を背面板１２の内面側に向けて略９０度折り曲げる。下部フラップ１１２及び下部開封片１２１をそれぞれ正面板１１の内面及び背面板１２の内面に向けて略９０度折り曲げる。そして、下部フラップ１１２の外面と下部開封片１２１の内面とを接着剤等により接着させる。これにより、下部開封片１２１は下部開口面１０ｂを閉じる。
【００４３】
その後に、上部開口面１０ａを介して内容物Ｓ（図４参照）を胴部１０内に収納する。そして、右上方フラップ１３ｂ及び左上方フラップ１４ｂをそれぞれ右側面板１３及び左側面板１４の内面側に向けて略９０度折り曲げるとともに、上面部１２ｃの外面と天面部１１１ａの内面とを接着剤等により貼り合わせる。また、背面部１１１ｂの内面と破り取り部１２ｂの外面とを接着剤等により接着させる。これにより、第１蓋部２１は上部開口面１０ａを閉じ、内容物Ｓを収納した紙箱１が組み立てられる。
【００４４】
図４は第１蓋部２１を開いて紙箱１を開封した状態を示す背面斜視図である。上記構成の紙箱１において、使用者が親指で押圧領域１２ｅ（図２参照）を紙箱１の内側へ押圧すると、押圧領域１２ｅはミシン目１２ｄ（図２参照）で背面板１２から分離するとともに折罫１２ｆ（図２参照）で折れ曲がり、紙箱１の内側へ向かって突出する。そして、親指と人差し指で上部開封片１２ａ及び上部フラップ１１１を同時に摘持して上方へ引っ張ると、上部開封片１２ａがミシン目１２ｄで背面板１２から分離する。
【００４５】
これにより、第１蓋部２１を開いて紙箱１を開封することができる。したがって、使用者は上部開口面１０ａを介して内容物Ｓを紙箱１から取り出すことができる。内容物Ｓは例えば包装袋に収納された菓子類である。なお、この時、背面板１２において破り取り部１２ｂが存在した領域には切欠き１２２ａが形成される。これにより、使用者は内容物Ｓを紙箱１から一層容易に取り出すことができる。
【００４６】
この時、上部フラップ１１１及び上部開封片１２ａは一体に破り開けられる。これにより、上部開封片１２ａを背面板１２から確実に除去して、切欠き１２２ａを確実に形成することができる。
【００４７】
また、上部フラップ１１１の湾曲部１１１ｃ（図２参照）は上方へ向かって凹む湾曲形状になっている。これにより、押圧領域１２ｅを親指で押圧する際に親指に痛み等を与えることがない。
【００４８】
図５は紙箱１の第１蓋部２１及び第２蓋部２２を開いた状態を示す背面斜視図である。なお、内容物Ｓは上部開口面１０ａを介して紙箱１から既に取り出されている。舌状部分１２１ｂを使用者の親指等で紙箱１の内側へ押圧すると、舌状部分１２１ｂはミシン目１２１ａで背面板１２から分離する。そして、親指と人差し指で下部開封片１２１及び下部フラップ１１２を摘持して下方へ引っ張ると、下部開封片１２１がミシン目２２ａで背面板１２から分離する。これにより、第１蓋部２１及び第２蓋部２２が開いて胴部１０の上部開口面１０ａ及び下部開口面１０ｂが開放される。
【００４９】
図６は紙箱１の第１蓋部２１及び第２蓋部２２を開いた状態を示す正面図である。図６において、胴部１０は未だ扁平には押し潰されていない。正面板１１のミシン目１１ｃ（図１参照）に沿って領域１１ｄを正面板１１から切り取ると、窓部１１ｂが形成される。この時、窓部１１ｂは第１内面図柄部１０ｃ及び第２内面図柄部１０ｄには対向せず、背面板１２の内面の無地に対向する。このため、外面図柄部１１ａと第１内面図柄部１０ｃまたは第２内面図柄部１０ｄとによる図柄は完成していない。
【００５０】
図７は紙箱１の第１蓋部２１及び第２蓋部２２を開いて胴部１０を第１折罫５１で折り曲げて扁平に押し潰した状態を示す正面図である。胴部１０を第１折罫５１で折り曲げて扁平に押し潰すと第１内面図柄部１０ｃが窓部１１ｂに対向する。これにより、外面図柄部１１ａと第１内面図柄部１０ｃとによって動物の顔面の図柄が完成する。すなわち、外面図柄部１１ａと第１内面図柄部１０ｃとが関連付けられて一の外観や観念を形成する図柄（動物の顔面の図柄）が完成する。この時、左側面板１４の外面が正面板１１の外面と略同一平面上に配置されるため、左側面板１４の外面図柄部１４ａにより動物が「おかし、おいしいよ！」という台詞を話している漫画にもなる。
【００５１】
これにより、紙箱１を扁平に押し潰すと使用者に対して視覚的な変化を与えることができる。したがって、使用者の好奇心を刺激し、紙箱１を扁平に押し潰す意欲を高めることができる。その結果、紙箱１の減容化を促進してゴミ容量を削減することができる。
【００５２】
図８は、紙箱１の第１蓋部２１及び第２蓋部２２を開いて胴部１０を第２折罫５２で折り曲げて扁平に押し潰した状態を示す正面図である。胴部１０を第２折罫５２で折り曲げて扁平に押し潰すと第２内面図柄部１０ｄが窓部１１ｂに対向する。これにより、外面図柄部１１ａと第２内面図柄部１０ｄとによって、図７の場合とは異なる動物の顔面の図柄が完成する。この時、右側面板１３の外面が正面板１１の外面と略同一平面上に配置されるため、右側面板１３の外面図柄部１３ａにより動物が「ぼく、クマだよん」という台詞を話している漫画にもなる。
【００５３】
これにより、紙箱１を扁平に押し潰すと使用者に対して視覚的な変化を与えることができる。したがって、使用者の好奇心を刺激し、紙箱１を扁平に押し潰す意欲を高めることができる。その結果、紙箱１の減容化を促進してゴミ容量を削減することができる。
【００５４】
本実施形態によると、第１蓋部２１及び第２蓋部２２を開いた際に、胴部１０を第１折罫５１で折り曲げて扁平に押し潰すと第１内面図柄部１０ｃが窓部１１ｂに対向するとともに、第２折罫５２で折り曲げて扁平に押し潰すと第２内面図柄部１０ｄが窓部１１ｂに対向する。これにより、紙箱１を扁平に押し潰すと使用者に対して視覚的な変化を与えることができる。したがって、使用者の好奇心を刺激し、紙箱１を扁平に押し潰す意欲を高めることができる。その結果、紙箱１の減容化を促進してゴミ容量を削減することができる。
【００５５】
また、胴部１０の外面の窓部１１ｂの周囲に絵を含む図柄の外面図柄部１１ａを設け、第１内面図柄部１０ｃ及び第２内面図柄部１０ｄが外面図柄部１１ａにより表される図柄の一部を形成している。これにより、第１内面図柄部１０ｃまたは第２内面図柄部１０ｄが窓部１１ｂに対向すると、第１内面図柄部１０ｃまたは第２内面図柄部１０ｄと外面図柄部１１ａとが関連付けられて一の外観や観念を形成する図柄（本実施形態では、動物の顔面の絵）が完成する。したがって、紙箱１を扁平に押し潰す意欲を容易に高めることができる。
【００５６】
また、胴部１０の内面の第１内面図柄部１０ｃと第２内面図柄部１０ｄとの間を無地にしている。これにより、胴部１０を第１折罫５１及び第２折罫５２で折り曲げず扁平に押し潰していない場合（図６参照）には、窓部１１ｂは無地に対向する。すなわち、胴部１０を扁平に押し潰す前には窓部１１ｂは第１内面図柄部１０ｃ及び第２内面図柄部１０ｄに対向していない。このため、使用者の興味を引いて紙箱１を扁平に押し潰すように強く促すことができる。
【００５７】
また、胴部１０の正面板１１に設けた環状のミシン目１１ｃを有し、窓部１１ｂがミシン目１１ｃに沿って胴部１０を切り取って形成される孔から成る。これにより、窓部１１ｂを容易に形成することができる。
【００５８】
なお、第１実施形態において、孔から成る窓部１１ｂに替えて切欠き１２２ａや切欠き１２６と同様の切欠きから成る窓部を設けてもよい。この時、第１内面図柄部１０ｃ及び第２内面図柄部１０ｄは切欠きから成る窓部に対向して形成される。これにより、第１蓋部２１や第２蓋部２２を開くことにより、窓部を容易に形成することができる。
【００５９】
また、第１実施形態において、窓部１１ｂは正面板１１に開口しているが、背面板１２、右側面板１３及び左側面板１４のいずれかに開口してもよい。すなわち、窓部１１ｂは胴部１０の周面に開口していればよい。
【００６０】
また、第１実施形態において、第１内面図柄部１０ｃ及び第２内面図柄部１０ｄが一の外観や観念を形成する図柄により形成される場合には、外面図柄部１１ａ、１３ａ、１４ａを省いてもよい。例えば、第１内面図柄部１０ｃ及び第２内面図柄部１０ｄが完成した絵や運勢占い等の文字列により形成される場合には、外面図柄部１１ａ、１３ａ、１４ａを省いてもよい。
【００６１】
＜第２実施形態＞
次に、本発明の第２実施形態について説明する。図９は本実施形態の紙箱１の正面斜視図を示している。図１０〜図１２は、紙箱１の第１蓋部２１及び第２蓋部２２を開いて胴部１０をそれぞれ第１折罫５１、第２折罫５２及び第３折罫５３で折り曲げて扁平に押し潰した状態を示す正面図を示している。なお、図１０〜図１２では、第１蓋部２１、第２蓋部２２及びフラップ等の図示を省略している。説明の便宜上、前述の図１〜図８に示した第１実施形態と同様の部分には同一の符号を付している。本実施形態は紙箱１の立体形状が六角柱である点及び外面図柄部１１ａを省いている点で第１実施形態とは異なっている。その他の部分は第１実施形態と同様である。
【００６２】
胴部１０は、第１折罫５１及び第２折罫５２とは異なる位置で軸方向に延びて対向する一対の第３折罫５３を有する。また、胴部１０の内面には第３内面図柄部１０ｅが設けられる。第３内面図柄部１０ｅ、第１内面図柄部１０ｃ及び第２内面図柄部１０ｄはそれぞれ異なる図柄により形成される。本実施形態では、第１内面図柄部１０ｃ、第２内面図柄部１０ｄ及び第３内面図柄部１０ｅはそれぞれ異なる動物の顔の表情の絵を示している。なお、第１内面図柄部１０ｃ、第２内面図柄部１０ｄ及び第３内面図柄部１０ｅを文字列により形成してもよい。
【００６３】
正面板１１の外面には環状のミシン目１１ｃが設けられる。ミシン目１１ｃに沿って正面板１１を切り取ることによって孔から成る窓部１１ｂ（図１０〜図１２参照）が形成される。
【００６４】
上記構成の紙箱１において、紙箱１の第１蓋部２１を開けて内容物Ｓを取り出した後に第２蓋部２２を開く。そして、ミシン目１１ｃに沿って正面板１１を切り開くと、窓部１１ｂが形成される。この時、窓部１１ｂは第３内面図柄部１０ｅに対向している。その後に、図１０に示すように胴部１０を第１折罫５１で折り曲げて扁平に押し潰すと第１内面図柄部１０ｃが窓部１１ｂに対向する。これにより、窓部１１ｂの輪郭と第１内面図柄部１０ｃとによって動物の頭部の図柄が完成する。この時、左側面板１４の外面が正面板１１の外面と略同一平面上に配置されるため、左側面板１４の外面図柄部１４ａにより動物が「おかし、おいしいよ！」という台詞を話している漫画になる。
【００６５】
また、図１１に示すように胴部１０を第２折罫５２で折り曲げて扁平に押し潰すと第２内面図柄部１０ｄが窓部１１ｂに対向する。これにより、窓部１１ｂの輪郭と第２内面図柄部１０ｄとによって動物の頭部の図柄が完成する。この時、右側面板１３の外面が正面板１１の外面と略同一平面上に配置されるため、右側面板１３の外面図柄部１３ａにより動物が「ぼく、クマだよん」という台詞を話している漫画になる。
【００６６】
また、図１２に示すように胴部１０を第３折罫５３で折り曲げて扁平に押し潰すと第３内面図柄部１０ｅが窓部１１ｂに近接して対向する。これにより、窓部１１ｂの輪郭と第３内面図柄部１０ｅとによって動物の頭部の図柄が完成する。この時、右側面板１３及び左側面板１４の外面が正面板１１の外面と略同一平面上に配置されるため、外面図柄部１３ａ、１４ａにより動物が「ぼく、クマだよん」、「おかし、おいしいよ！」という台詞を話している漫画になる。
【００６７】
本実施形態によると、第１実施形態と同様な効果を得ることができる。また、胴部１０が第１折罫５１及び第２折罫５２と異なる位置で軸方向に延びて対向する一対の第３折罫５３を有するとともに、第１内面図柄部１０ｃ及び第２内面図柄部１０ｄとは異なる図柄の第３内面図柄部１０ｅを胴部１０の内面に設けている。そして、胴部１０を第３折罫５３で折り曲げて扁平に押し潰すと第３内面図柄部１０ｅが窓部１１ｂに近接して対向する。
【００６８】
これにより、紙箱１を扁平に押し潰すと使用者に対してさらに多様な視覚的な変化を与えることができる。したがって、紙箱１を扁平に押し潰す意欲を容易に高めることができる。
【００６９】
なお、第３実施形態において、第１内面図柄部１０ｃ、第２内面図柄部１０ｄ及び第３内面図柄部１０ｅを設けているが、いずれか１つを省いてもよい。例えば、第３内面図柄部１０ｅを省いてもよい。
【００７０】
第１、第２実施形態において、窓部１１ｂを透明シートにより閉塞してもよい。これにより、ミシン目１１ｃで胴部１０の一部を切り取って窓部１１ｂを形成する手間を省くことができる。
【００７１】
また、紙箱１として例えばティッシュペーパーを取り出すための開口部が開口するティッシュペーパー収納箱等を用いて、窓部１１ｂに替えて開口部から成る窓部を設けてもよい。この時、第１内面図柄部１０ｃ及び第２内面図柄部１０ｄは開口部から成る窓部に対向して形成される。これにより、窓部を容易に形成することができる。
【００７２】
また、紙箱１の立体形状は、直方体、四角柱や六角柱に限定されず、例えば八角柱や十二角柱などでもよい。すなわち、紙箱１の立体形状は偶数角柱であればよい。
【産業上の利用可能性】
【００７３】
本発明は、内容物を収納する紙箱に利用可能である。
【符号の説明】
【００７４】
１        紙箱
１０      胴部
１０ａ    上部開口面
１０ｂ    下部開口面
１０ｃ    第１内面図柄部
１０ｄ    第２内面図柄部
１０ｅ    第３内面図柄部
１１      正面板
１１ａ    外面図柄部
１１ｂ    窓部
１１ｃ    ミシン目
１２      背面板
１３      右側面板
１３ａ    外面図柄部
１４      左側面板
１４ａ    外面図柄部
２１      第１蓋部
２２      第２蓋部
５１      第１折罫
５２      第２折罫
５３      第３折罫
【図１】
2015040062.tif 000003
【図２】
2015040062.tif 000004
【図３】
2015040062.tif 000005
【図４】
2015040062.tif 000006
【図５】
2015040062.tif 000007
【図６】
2015040062.tif 000008
【図７】
2015040062.tif 000009
【図８】
2015040062.tif 000010
【図９】
2015040062.tif 000011
【図１０】
2015040062.tif 000012
【図１１】
2015040062.tif 000013
【図１２】
2015040062.tif 000014